(57)【要約】【課題】撮影対象に係わる種々の状況を把握でき撮影時の想い出や感慨を深めることができる画像表示装置を提供する【解決手段】画像表示装置１はＧＰＳ搭載のデジタルカメラで撮像された撮像画像１０をメディアから読み出し、そのExif情報の中の位置情報に基づきネットワークの位置情報ポータルにアクセスして取得した本日の日時、天候、気温、祭事のデータからなる文字情報１４の画像を生成する。更に取得した時刻情報「１８：５６」に基づいて撮像画像１０の擬似夜景画像１６を生成する。撮像画像１０に文字情報１４の画像と擬似夜景画像１６を嵌め込んで表示してもよく、擬似夜景画像１６に文字情報１４と撮像画像１０を嵌め込んで表示してもよく、擬似夜景画像１６のみに文字情報１４を嵌め込んで表示してもよい。見る人は撮影時の状況と現在の状況とを行き来する想いのなかで感慨をより深めることができる【選択図】      図５
2007258965.tif 000002
【特許請求の範囲】
【請求項１】
撮影された画像情報を表示する画像表示装置であって、
前記画像情報を読み取る読取手段と、
該読取手段により読み取られた前記画像情報に含まれる撮影場所の情報に基づき該撮影場所の現在或いは指定した時刻の情報を外部データベースを介して取得する取得手段と、
該取得手段により取得された前記撮影場所の現在或いは指定した時刻の情報に基づき前記撮影画像を加工する加工手段と、
該加工手段により加工された画像を表示する表示手段と、
を有することを特徴とする画像表示装置。
【請求項２】
前記取得手段は、前記撮影場所の現在或いは指定した時刻の情報として、日時、天気、気温、湿度、祭事、又はライブ画像のデータを取得することを特徴とする請求項１記載の画像表示装置。
【請求項３】
前記取得手段は、前記ライブ画像として、前記撮影場所の近隣の定点カメラによる撮像データを取得することを特徴とする請求項２記載の画像表示装置。
【請求項４】
前記加工手段は、前記取得手段が取得した前記現在或いは指定した時刻の情報の中の時刻データに基づいて、前記撮影画像を前記時刻データに対応する情景に加工する、ことを特徴とする請求項１又は２記載の画像表示装置。
【請求項５】
前記情景は、朝方、夕方、又は星空などの情景である、ことを特徴とする請求項４記載の画像表示装置。
【請求項６】
前記加工手段は、前記取得手段が取得した前記現在或いは指定した時刻の情報の中の天気データに基づいて、前記撮影画像を前記天気データに対応する天気状況に加工することを特徴とする請求項１記載１又は２記載の画像表示装置。
【請求項７】
前記天気状況は、晴、雨、みぞれ、又は雪などの天気状況である、ことを特徴とする請求項６記載の画像表示装置。
【請求項８】
前記表示手段は、前記撮影された画像の中に前記加工手段により加工された加工情報を嵌め込み画像として表示することを特徴とする請求項１記載の画像表示装置。
【請求項９】
前記表示手段は、前記加工手段により加工された画像の中に前記撮影された画像を嵌め込み画像として表示することを特徴とする請求項１記載の画像表示装置。
【請求項１０】
前記表示手段は、前記加工手段により加工された画像を、前記撮影された画像とは独立に表示することを特徴とする請求項１記載の画像表示装置。
【発明の詳細な説明】
【技術分野】
【０００１】
本発明は、画像表示装置に係わり、更に詳しくは撮像されたデジタル画像データを適宜に加工して表示する画像表示装置に関する。
【背景技術】
【０００２】
近年、デジタルカメラが普及している。一般にデジタルカメラで撮影したデジタル画像データはカメラ内蔵の又はカメラに着脱性の例えばフラッシュメモリ等のメディアに記憶され、更にパーソナルコンピュータや他のメディアに転送して保存することができる。また、パーソナルコンピュータでこれらのメディアから撮影画像データを読み出してパーソナルコンピュータのモニタに表示して見て楽しむことができる。
【０００３】
通常デジタルカメラは時計を内蔵しており、その内部時計により、上記のようにデジタルカメラで撮影されたイグジフ（Exif：exchangeable image file format）のデジタル画像データには、撮影画像のサムネイルのほか、撮影時における日時、シャッター速度、絞りなどの各種撮影データが格納される。
【０００４】
それらのメディアに保存した撮影画像を印刷するときには、モニタに表示されたサムネイルで所望の画像を選択し、印刷出力では画像の片隅に撮影日時の印刷付きで印刷する場合が多い。画像を見る人は、撮影日時を見ることで、いつ頃の撮影であったかを知ることができる。
【０００５】
また、デジタル画像の表示では、カーナビゲーション装置の表示がある。一般に、カーナビゲーション装置は、現在表示されている画像に重ねて、地上デジタル放送から取得した特定の情報を重ねて表示して、見る人に各種の案内をすることができる。（例えば、特許文献１参照。）
【特許文献１】特開２００５−０５１７４８号公報（段落００３８、００３９、図１、図２、図７）
【発明の開示】
【発明が解決しようとする課題】
【０００６】
ところで、カーナビゲーション装置は、現在表示されている画像に単に特定の情報を重ねて表示するのみであって、現在表示されている画像データの内容そのものを加工する訳ではない。つまり、記録されている画像と外部から取得した特定の情報とをそのまま表示するように構成されている。
【０００７】
また、デジタルカメラで撮影したデジタル画像の表示では、その表示データからは、被写体と撮影日時、シャッター速度、絞りなどの情報は得られるが、その他の撮影時の土地、場所、その近傍の状況などの付帯的な情報は、撮影者が自分で手帳などに心覚えとしてのメモを取っておかない限り、撮影画像からだけでは容易に思い出せない。したがって懐かしさや楽しさが半減するという問題がある。
【０００８】
本発明の課題は、上記従来の実情に鑑み、撮影対象に係わる種々の状況を把握でき撮影時の想い出や感慨を深めることができる画像表示装置を提供することである。
【課題を解決するための手段】
【０００９】
本発明の画像表示装置は、撮影された画像情報を表示する画像表示装置であって、上記画像情報を読み取る読取手段と、該読取手段により読み取られた上記画像情報に含まれる撮影場所の情報に基づき該撮影場所の現在或いは指定した時刻の情報を外部データベースを介して取得する取得手段と、該取得手段により取得された上記撮影場所の現在或いは指定した時刻の情報に基づき上記撮影画像を加工する加工手段と、該加工手段により加工された画像を表示する表示手段と、を有して構成される。
【００１０】
上記取得手段は、例えば、上記撮影場所の現在或いは指定した時刻の情報として、日時、天気、気温、湿度、祭事、又はライブ画像のデータを取得するように構成される。この場合、上記取得手段は、例えば、上記ライブ画像として、上記撮影場所の近隣の定点カメラによる撮像データを取得するように構成される。
【００１１】
また、上記加工手段は、例えば、上記取得手段が取得した上記現在或いは指定した時刻の情報の中の時刻データに基づいて、上記撮影画像を上記時刻データに対応する情景に加工する。この場合、上記情景は、例えば、朝方、夕方、又は星空などの情景である。
【００１２】
また、上記加工手段は、例えば、上記取得手段が取得した上記現在或いは指定した時刻の情報の中の天気データに基づいて、上記撮影画像を上記天気データに対応する天気状況に加工する。この場合、例えば、上記天気状況は、例えば、晴、雨、みぞれ、又は雪などの天気状況である。
【００１３】
また、上記表示手段は、例えば、上記撮影された画像の中に上記加工手段により加工された加工情報を嵌め込み画像として表示し、また、例えば、上記加工手段により加工された画像の中に上記撮影された画像を嵌め込み画像として表示し、また、例えば、上記加工手段により加工された画像を、上記撮影された画像とは独立に表示する。
【発明の効果】
【００１４】
本発明によれば、撮影画像に撮影場所情報を記録し、その記録に基づいて撮影画像に現在或いは指定した時刻の日時、天気、気温、湿度、または祭事の情報などを含むように加工して表示するので、撮影対象又は撮影場所が現在或いは指定した時刻いかなる状況にあるのか良く把握でき、したがって、撮影時の状況と現在或いは指定した時刻の状況とが行き来する想いのなかで、撮影時の感慨をより深めることができるという利点がある。
【００１５】
また、撮影画像を現在或いは指定した時刻の時刻に合わせて擬似加工して、時刻による情景の変化を視覚的に訴えることができ、また、更には撮影画像を現在或いは指定した時刻の天候に合わせて擬似加工して、天候による情景の変化を視覚的に訴えることができるので、撮影時の情景と現在或いは指定した時刻の情景とが行き来する想いのなかで、撮影時の感慨をより深めることができるという利点がある。
【００１６】
また、撮影場所に近隣する定点カメラの画像を表示するので、撮影場所近傍の生の現在情景と撮影画像を引き比べる視覚的効果により、撮影時の想いを新たにし感慨をより深めるという利点がある。
【発明を実施するための最良の形態】
【００１７】
以下、本発明の実施の形態を図面を参照しながら説明する。
図１は、本発明の各実施形態において表示装置に撮影画像を表示する画像表示装置の構成を示すシステムブロック図である。同図に示すように、画像表示装置１は、例えばパーソナルコンピュータ等からなり、少なくとも、画像データに対する処理を行うＣＰＵ(central processing unit）２と、このＣＰＵ２に接続された画像表示部３、メディア読取り部４、ＲＡＭ(Random Access Memory)５、ＲＯＭ(read only memory)６、ネットワーク部７を備えている。
【００１８】
画像表示部３は、例えば液晶表示装置から成り、メディア読取り部４は、例えばメモリカード、ＣＤ／ＲＷ(compact disc read and write）、ＤＶＤ(digital versatile disk)等の記録メディアを着脱自在に装着可能なドライブ装置を備え、ＲＡＭ５は、ＣＰＵ２が演算するときのデータなどを一時的に記憶し、ＲＯＭ６には、ＣＰＵ２が画像データに対する処理を行うための制御プログラムが格納されている。また、ネットワーク部７は、例えば、インターネットを介して種々の情報を取得するための回路である。
【００１９】
（実施形態１）
図２は、画像表示装置１において画像表示部３の液晶表示装置に画像を表示する実施形態１における処理のフローチャートである。尚、この処理では、例えばジーピーエス（ＧＰＳ：global positioning system)を搭載したデジタルカメラで撮像した画像データが取扱われ、このジーピーエス（ＧＰＳ）で取得された撮影場所情報は、画像データのイグジフ(Exif)情報の中に格納されている。
【００２０】
図３(a) は、上記の処理においてメディアから読み出されて表示装置に表示される撮像画像の例を示す図であり、同図(b) はその撮像画像に対して所定の加工が施された画像の例を示す図である。
【００２１】
先ず、図２において、画像表示装置１の不図示の操作パネルから画像表示の指示が入力されると、ＣＰＵ２は画像表示の処理を開始する（Ｓ２０１）。
これにより、図３(a) に示すように、画像表示装置１を操作する操作者の所望の撮影画像が画像表示部３の液晶表示装置に表示される。
【００２２】
同図(a) に示す例では、撮影画像１０の画像全体の上半分には青空８が拡がっており、青空８の下には数隻の船が航行する紺碧の海９の地平線が見渡され、海９の画像手前の陸地には市街地１１が広がっており、これら風景の中に、画像左側手前に大きく風車小屋１２と、その風車１３が写し出されている。
【００２３】
そして、撮影画像１０の左下隅には、イグジフ(Exif)情報から取得された撮影日時を示すデータ「２００１／０４／２５」が表示されている。
次に、ＣＰＵ２は、画像データのイグジフ(Exif)情報などから、撮影場所のデータを取得する（Ｓ２０２）。ここでイグジフ(Exif)情報などから取得される撮影場所のデータは緯度と経度からなる位置データである。
【００２４】
続いて、ＣＰＵ２は、ネットワークを使用し、その撮影場所の取得時の時刻、現在或いは指定した時刻における天気、気温、祭事の情報を取得する（Ｓ２０３）。
この処理では、処理Ｓ２０２で取得された撮影場所の位置データに基づいて、ネットワーク部７を介してインターネットの位置情報ポータルにアクセスする。そして、アクセスした位置情報サイトのツリー構造の情報ファイルを辿って、位置情報サイト取得時の、すなわち現時点或いは指定した時刻における撮影場所の時刻、天気、気温、及び祭事のデータが取得される。例えば天気、気温情報の場合は現時点の情報の他に、天気予報に基づいた先の予報情報、或いは過去の蓄積情報に基づいた情報を取得する。
【００２５】
そして、ＣＰＵ２は、画像処理を行い、撮影画像１０のデータに文字情報を付加した画像を表示する（Ｓ２０４）。
この処理では、同図(a) に示した本来の撮影画像１０のデータに、図３(b) に示すように、撮影地の現在時刻の天気と気温、及び本日の祭事の情報が文字情報１４として付加されて、撮影画像１０の所定の領域（例えば表示領域の端部で且つ階調が比較的一定な領域、同図(b) に示す例では青空８の右上角の領域）に合成され、その合成画像１５が画像表示部３の液晶表示装置に表示される。
【００２６】
これにより、例えば、同図(b) に示すように、本来の撮影画像の右上角に上下４段に分かれて配置された「●現況」、「２００５／０５／０１＿０７：３２」「はれ＿２１℃」、「大漁祭（０４／２９〜０５／０３」の文字情報１４が合成されて表示される。
【００２７】
このように、本例によれば、撮影画像の中に現時点或いは指定した時刻の日時、天気、気温、湿度、または祭事などの情報が共に表示されるので、見る人は撮影対象又は撮影場所が現在或いは指定した時刻にいかなる状況にあるのか良く把握でき、したがって、撮影時の状況と現在或いは指定した時刻の状況とが行き来する想いのなかで、撮影時の感慨をより深めることができるという利点がある。
【００２８】
（実施形態２）
図４は、画像表示装置１において画像表示部３の液晶表示装置に画像を表示する実施形態２における処理のフローチャートである。尚、この処理も、例えばジーピーエス（ＧＰＳ）を搭載したデジタルカメラで撮像した画像データが取扱われる。また、ジーピーエス（ＧＰＳ）で取得された撮影場所情報は、画像データのイグジフ(Exif)情報の中に格納されている。
【００２９】
図５(a),(b),(c) は、それぞれ上記の処理においてメディアから読み出され所定の加工を施されて画像表示部に表示される撮像画像の例を示す図である。
先ず、図４において、処理Ｓ４０１〜Ｓ４０４は、図２で説明した処理Ｓ２０１〜Ｓ２０４とそれぞれ同一の処理である。したがって、特には図示しないが、処理Ｓ４０４では図３(b) とほとんど同一の合成画像が表示される。
【００３０】
ここで図３(b) の合成画像１５の場合と異なるのは、処理Ｓ４０３でインターネットの位置情報サイトにアクセスした時間帯が遅くなったため、文字情報１４で表示される時刻と気温は、図３(b) のように「０７：３２」と「２１℃」ではなく、「１８：５６」と「１７℃」になる点である（図５(a) 参照）。
【００３１】
図４において、上記に続いてＣＰＵ２は、時刻情報から画像の明るさを求めて、画像に効果を施す（Ｓ４０５）。
この処理では、処理Ｓ４０４で表示された合成画像に対し、上記ネットワークから取得された時刻情報「１８：５６」に基づいて、時刻情報「１８：５６」に対応する早晩の夜景の情景に擬似加工された擬似夜景画像が生成される。
【００３２】
図５(a),(b),(c) は、その擬似加工により生成された擬似夜景画像１６の種々の表示方法を示している。すなわち、図５(a) は、文字情報１４を伴った撮影画像１０の、文字情報１４の下方の嵌め込み枠の中にサムネイルの擬似夜景画像１６が表示されている。
【００３３】
また、図５(b) では、文字情報１４を伴った擬似夜景画像１６の、文字情報１４の下方の嵌め込み枠の中にサムネイルの撮影画像１０が表示されている。
また、図５(c) では、文字情報１４を伴った擬似夜景画像１６が、撮影画像１０とは独立して（それ単独で）表示されている。
【００３４】
このように、本例では、撮影画像１０を現在の時刻に合わせて擬似加工して生成した擬似夜景画像１６により、時刻による情景の変化を視覚的に訴えることができるので、撮影時の情景と現在の情景とが行き来する想いのなかで、撮影時の感慨をより深めることができるという利点がある。
【００３５】
尚、現在或いは指定した時刻に合わせる擬似加工では、早晩の夜景の情景に限ることなく、そのときどきの時刻と撮影場所の土地柄に応じて、早朝、日の出、日没、朝焼け、夕焼けなど種々の情景に加工することができる。
【００３６】
（実施形態３）
図６は、画像表示装置１において画像表示部３の液晶表示装置に画像を表示する実施形態３における処理のフローチャートである。尚、この処理も、例えばジーピーエス（ＧＰＳ）を搭載したデジタルカメラで撮像した画像データが取扱われる。また、ジーピーエス（ＧＰＳ）で取得された撮影場所情報は、画像データのイグジフ(Exif)情報の中に格納されている。
【００３７】
図７(a),(b),(c) は、それぞれ上記の処理においてメディアから読み出され所定の加工を施されて画像表示部に表示される撮像画像の例を示す図である。
先ず、図６において、処理Ｓ６０１〜Ｓ６０４は、図２で説明した処理Ｓ２０１〜Ｓ２０４とそれぞれ同一の処理である。したがって、特には図示しないが、処理Ｓ６０４では図３(b) とほとんど同一の合成画像が表示される。
【００３８】
ここで図３(b) の合成画像１５の場合と異なるのは、処理Ｓ６０３でインターネットの位置情報サイトにアクセスした時の天候が撮影時と異なっていることである。すなわち文字情報１４で表示される天候と気温は、図３(b) のように「はれ＿２１℃」ではなく、「雨＿１４℃」になっている点である（図７(a) 参照）。
【００３９】
図６において、上記に続いてＣＰＵ２は、天気情報から天気による効果を求めて、画像に効果を施す（Ｓ６０５）。
この処理では、処理Ｓ６０４で表示された合成画像１５に対し、上記ネットワークから取得された天気情報「雨」に基づいて、合成画像１５が雨降りの情景に擬似加工された擬似雨降り画像が生成される。
【００４０】
図６(a),(b),(c) は、その擬似加工により生成された擬似雨降り画像１７の種々の表示方法を示している。すなわち、図６(a) は、文字情報１４を伴った撮影画像１０の、文字情報１４の下方の嵌め込み枠の中にサムネイルの擬似雨降り画像１７が表示されている。
【００４１】
また、図６(b) では、文字情報１４を伴った擬似雨降り画像１７の、文字情報１４の下方の嵌め込み枠の中にサムネイルの撮影画像１０が表示されている。
また、図６(c) では、文字情報１４を伴った擬似雨降り画像１７が、撮影画像１０とは独立して（それ単独で）表示されている。
【００４２】
このように、本例では、撮影画像１０を現在の天候状況に合わせて擬似加工で生成された例えば擬似雨降り画像などで、天気による情景の変化を視覚的に訴えることができるので、撮影時の情景と現在の情景とが行き来する想いのなかで、撮影時の感慨をより深めることができるという利点がある。
【００４３】
尚、現在或いは指定した時刻の天気に合わせる擬似加工では、雨降りの情景に限ることなく、そのときどきの天気に応じて、曇り、うす曇、小雨、土砂降り、氷雨、粉雪、牡丹雪、吹雪など種々の情景に加工することができる。
【００４４】
（実施形態４）
図８は、画像表示装置１において画像表示部３の液晶表示装置に画像を表示する実施形態４における処理のフローチャートである。尚、この処理も、例えばジーピーエス（ＧＰＳ）を搭載したデジタルカメラで撮像した画像データが取扱われる。また、ジーピーエス（ＧＰＳ）で取得された撮影場所情報は、画像データのイグジフ(Exif)情報の中に格納されている。
【００４５】
図９(a),(b),(c) は、それぞれ上記の処理においてメディアから読み出され所定の加工を施されて画像表示部に表示される撮像画像の例を示す図である。
先ず、図８において、処理Ｓ８０１〜Ｓ８０４は、図２で説明した処理Ｓ２０１〜Ｓ２０４とそれぞれ同一の処理である。したがって、特には図示しないが、処理Ｓ８０４では図３(b) とほとんど同一の合成画像が表示される。
【００４６】
ここで図３(b) の合成画像１５の場合と異なるのは、図７(a),(b),(c) の場合と同様に文字情報１４で表示される天候と気温が、図３(b) のように「はれ＿２１℃」ではなく、「雨＿１４℃」になっている点である（図９(a) 参照）。
【００４７】
そして、本例では、図６において、上記に続いてＣＰＵ２は、撮影場所の近隣にある定点カメラの画像を取得して表示する（Ｓ８０５）。
図９(a),(b),(c) は、その取得された定点カメラの画像をライブ画像１８として表示する種々の表示方法を示している。すなわち、図９(a) は、文字情報１４を伴った撮影画像１０の、文字情報１４の下方の嵌め込み枠の中にサムネイルのライブ画像１８が表示されている。
【００４８】
また、図９(b) では、文字情報１４を伴ったライブ画像１８の、文字情報１４の下方の嵌め込み枠の中にサムネイルの撮影画像１０が表示されている。
また、図９(c) では、文字情報１４を伴ったライブ画像１８が、撮影画像１０とは独立して（それ単独で）表示されている。
【００４９】
このように、本例では、撮影場所に近隣する定点カメラの画像を表示するので、撮影場所近傍の生の現在情景と撮影画像を引き比べる視覚的効果により、撮影時の想いを新たにし感慨をより深めるという利点がある。
【図面の簡単な説明】
【００５０】
【図１】本発明の各実施形態において画像表示部に撮影画像を表示する画像表示装置の構成を示すシステムブロック図である。
【図２】画像表示装置において画像表示部に画像を表示する実施形態１における処理のフローチャートである。
【図３】実施形態１における処理においてメディアから読み出されて画像表示部に表示される撮像画像の例を示す図、(b) はその撮像画像に対して所定の加工が施された画像の例を示す図である。
【図４】画像表示装置において画像表示部に画像を表示する実施形態２における処理のフローチャートである。
【図５】(a),(b),(c) はそれぞれ実施形態２における処理においてメディアから読み出され所定の加工を施されて画像表示部に表示される撮像画像の例を示す図である。
【図６】画像表示装置において画像表示部に画像を表示する実施形態３における処理のフローチャートである。
【図７】(a),(b),(c) はそれぞれ実施形態３における処理においてメディアから読み出され所定の加工を施されて画像表示部に表示される撮像画像の例を示す図である。
【図８】画像表示装置において画像表示部に画像を表示する実施形態４における処理のフローチャートである。
【図９】(a),(b),(c) はそれぞれ実施形態４における処理においてメディアから読み出され所定の加工を施されて画像表示部に表示される撮像画像の例を示す図である。
【符号の説明】
【００５１】
１      画像表示装置
２      ＣＰＵ(central processing unit）
３      画像表示部
４      メディア読取り部
５      ＲＡＭ(Random Access Memory)
６      ＲＯＭ(read only memory)
７      ネットワーク部
８      青空
９      海
１０    撮影画像
１１    市街地
１２    風車小屋
１３    風車
１４    文字情報
１５    合成画像
１６    擬似夜景画像
１７    擬似雨降り画像
１８    ライブ画像
【図１】
2007258965.tif 000003
【図２】
2007258965.tif 000004
【図４】
2007258965.tif 000005
【図６】
2007258965.tif 000006
【図８】
2007258965.tif 000007
【図３】
2007258965.tif 000008
【図５】
2007258965.tif 000009
【図７】
2007258965.tif 000010
【図９】
2007258965.tif 000011